(57)【要約】【課題】  制動操作構造において、操作つまみが装着部から抜け落ちないようにするとともに、操作つまみを装着部に対して安定して回動させることができるようにする。【解決手段】  制動操作構造９は、リール本体１に取り付けられ、回動操作によりスプールの制動力を調節するためのものである。この構造は、装着筒部１ｃと、操作つまみ２７と、ねじ部材２８とを備えている。装着筒部は、リール本体から円筒状に突出して形成されている。操作つまみは、装着筒部を収納可能に有底円筒状に形成されており、回動操作によりスプールの制動力を調節可能になっている。ねじ部材は、外周に雄ねじ部２９ａ，２９ｂを有し、円筒状に形成されており、装着筒部の径方向外方から装着筒部に装着可能に分割されている。このねじ部材は、装着筒部の外周と操作つまみの内周との間で装着筒部と操作つまみに係合している。そして、操作つまみを装着筒部に対して回動可能かつ装着筒部の突出方向に抜け止め可能にしている。【選択図】      図３
2005328755.tif 000002
【特許請求の範囲】
【請求項１】
釣り用リールのリール本体に取り付けられ、回動操作によりスプールの制動力を調節するための制動操作構造であって、
前記リール本体に円筒状に突出して設けられる装着部と、
前記装着部を収納可能に有底円筒状に形成され、前記回動操作により前記スプールの制動力を調節可能な操作つまみと、
外周又は内周にねじ部を有し、円筒状に形成され前記装着部の径方向外方から前記装着部に装着可能に分割され、前記装着部の外周と前記操作つまみの内周との間で前記装着部と前記操作つまみに係合して前記操作つまみを前記装着部に対して回動可能かつ前記装着部の突出方向に抜け止め可能にするねじ部材と、
を備える釣り用リールのスプールの制動操作構造。
【請求項２】
前記装着部の外周には、環状溝が形成されており、
前記ねじ部材の内周には、前記環状溝に嵌合可能な第１抜け止め突出部が形成されている、請求項１に記載の釣り用リールのスプールの制動操作構造。
【請求項３】
前記ねじ部材の外周には、前記ねじ部としての第１雄ねじ部が形成されており、
前記操作つまみの内周には、前記操作つまみを前記ねじ部材に連結するために第１雌ねじ部が前記第１雄ねじ部に螺合可能に形成されている、請求項１又は２に記載の釣り用リールのスプールの制動操作構造。
【請求項４】
前記ねじ部材の外周には、一端部において鍔部が径方向外方に向けて突出して形成されており、前記鍔部の外径が前記第１雄ねじ部の外形より大径に形成されている、請求項３に記載の釣り用リールのスプールの制動操作構造。
【請求項５】
前記装着部の内周には、第２雌ねじ部が形成されており、
前記操作つまみには、前記操作つまみの底部に回転不能に装着されスプール軸方向に移動可能な移動部材が含まれており、
前記移動部材は、前記第２雌ねじ部に螺合可能な第２雄ねじ部を有しており、前記回動操作により前記装着部の内周部において回転しながらスプール軸方向に移動して前記スプールの制動力を調節可能になっている、請求項１から４のいずれかに記載の釣り用リールのスプールの制動操作構造。
【請求項６】
前記装着部の外周には、先端側で径方向外方に向けて突出して形成された第２抜け止め突出部と、基端側で内径が前記第２抜け止め突出部の外周より小径に形成された第３雄ねじ部とが設けられており、
前記ねじ部材の内周には、前記第３雄ねじ部に螺合可能な前記ねじ部としての第３雌ねじ部が形成されている、請求項１に記載の釣り用リールのスプールの制動操作構造。
【請求項７】
前記操作つまみの内周には、開口側から底部側に向けて延びる溝部が形成されており、
前記ねじ部材の外周には、前記操作つまみと前記ねじ部材との相対回転を規制するために突出部が前記溝部に嵌合可能に形成されている、請求項６に記載の釣り用リールのスプールの制動操作構造。
【請求項８】
前記溝部の底部には、前記突出部が前記装着部の突出方向逆側に前記溝部から抜け出さないようにするために、前記開口側において爪部が前記底部から突出して形成されている、請求項７に記載の釣り用リールのスプールの制動操作構造。
【請求項９】
前記操作つまみの底部には、調整部が前記底部から開口側に突出して設けられており、
前記調整部は、前記回動操作により前記装着部の内周部においてスプール軸方向に移動して前記スプールの制動力を調節可能になっている、請求項６から８のいずれかに記載の釣り用リールのスプールの制動操作構造。
【請求項１０】
前記装着部は、スピニングリールの前記リール本体から後方に突出して形成され、スプール軸を制動するリアドラグ機構を内周部に収納しており、
前記操作つまみは、前記リアドラグ機構を調節するための操作つまみである、請求項１から９のいずれかに記載の釣り用リールのスプールの制動操作構造。
【請求項１１】
前記装着部は、両軸受リールの前記リール本体から側方に突出して形成され、スプール軸に連動して回転する軸部材を内周部に収納しており、
前記操作つまみは、前記軸部材を制動するキャスティングコントロール機構の操作つまみである、請求項１から９のいずれかに記載の釣り用リールのスプールの制動操作構造。
【発明の詳細な説明】
【技術分野】
【０００１】
本発明は、制動操作構造、特に、釣り用リールのリール本体に取り付けられ、スプールの制動力を調節して操作するための釣り用リールのスプールの制動操作構造に関する。
【背景技術】
【０００２】
従来の釣り用リールには、回動操作によりリール本体内部に組み込まれた各種の機構を調節してスプールの制動力を変化させる制動操作構造が広く採用されている。このような制動操作構造には、たとえば、リアドラグ型スピニングリールのリアドラグ機構のドラグ力を調節するものがある。
【０００３】
従来のスピニングリールのリアドラグ機構に用いられる制動操作構造は、装着部と、操作つまみと、音出し部材と、固定ボルトとを備えている。装着部は、リール本体後部に円筒状に突出して形成されており、外周に雄ねじ部を有している。操作つまみは、装着部を収納可能に有底円筒状に形成されており、内周に雌ねじ部を有している。この雌ねじ部は、装着部の雄ねじ部に螺合可能になっている。また、操作つまみには押圧部材が含まれており、この押圧部材は、装着部の内周部でリアドラグ機構の後部に配置されている。押圧部材は、円柱状の押圧部と押圧部から円柱状に突出した突出部とからなっている。押圧部は、リアドラグ機構側に配置されており、リアドラグ機構を押圧する部分である。突出部は、押圧部より小径に形成されており、操作つまみ側に配置され操作つまみに装着される。この突出部の外周には凹凸が所定の間隔で形成されている。
【０００４】
音出し部材は、たとえば、半円状のバネ部材であり、両端部が装着部を外周側から内周側へと貫通している。音出し部材の両端部は、装着部の内周部において、押圧部材の突出部外周に形成された凹凸に係合している。また、音出し部材の両端部は、押圧部材の押圧部後部を係止可能になっており、押圧部材の後方への抜け出しを規制している。固定ボルトは、操作つまみの底部側外方から操作つまみの底部を貫通して押圧部材を操作つまみに固定している。
【０００５】
従来の制動操作構造では、まず、リール本体に組み付けられたリアドラグ機構の後部に押圧部材を装着する。次に、装着部に音出し部材を装着して、音出し部材の両端部を押圧部材の押圧部の後方において、押圧部材の突出部の凹凸に係合させる。最後に、操作つまみを、装着部に螺合させながら装着して、固定ボルトを用いて押圧部材に固定する。このように組み立てられる制動操作構造では、操作つまみを回動操作したとき、音出し部材の両端部が押圧部材の凹凸に衝突を繰り返してクリック音を発する。このとき、操作つまみに固定ボルトで固定された押圧部材が、リアドラグ機構を押圧したり押圧解除したりして、リアドラグ機構のドラグ力が調節される。ここで、リアドラグ機構の押圧を解除する方向に操作つまみを回動させ続けていくと、押圧部材が操作つまみとともに後方へと移動し、いずれ押圧部材の押圧部後部が音出し部材の両端部に当接して係止される。このようにして、押圧部材を含む操作つまみは装着部から抜け落ちないようになっている。
【特許文献１】実全昭６０−１６８３７５号公報（第１図、第６図）
【発明の開示】
【発明が解決しようとする課題】
【０００６】
従来の制動操作構造では、リアドラグ機構の押圧を解除する方向に操作つまみを回動させたとき、押圧部材を含む操作つまみが装着部から抜け落ちないようにするために、押圧部材の押圧部後部を音出し部材の両端部に当接させて係止させている。しかしながら、押圧部材の押圧部後部を音出し部材の両端部に当接させた状態で、リアドラグ機構の押圧を解除する方向に操作つまみをさらに回動させてしまうと、操作つまみの雌ねじ部及び装着部の雄ねじ部の摩耗の程度が大きくなってしまうおそれがある。また、状況によっては、操作つまみの雌ねじ部及び装着部の雄ねじ部のねじ山が損傷してしまうおそれがある。すると、操作つまみを安定して回動させにくくなる。
【０００７】
一方、従来の制動操作構造では、操作つまみを装着部に螺合させている。そして、固定ボルトが、操作つまみの底部側外方から操作つまみの底部を貫通して押圧部材を操作つまみに固定している。このように固定ボルトを用いて押圧部材を操作つまみに固定すると、ボルト頭部が操作つまみの底部外面に現れるので、操作つまみの見映えが損なわれるおそれがある。
【０００８】
本発明の課題は、制動操作構造において、操作つまみが装着部から抜け落ちないようにするとともに、操作つまみを装着部に対して安定して回動させることができるようにすることにある。
【０００９】
本発明の別の課題は、制動操作構造において、操作つまみの見映えを損なわないように操作つまみを装着部に装着することができるようにすることにある。
【課題を解決するための手段】
【００１０】
発明１に係る釣り用リールのスプールの制動操作構造は、釣り用リールのリール本体に取り付けられ、回動操作によりスプールの制動力を調節するためのものである。この釣り用リールのスプールの制動操作構造は、装着部と、操作つまみと、ねじ部材とを備えている。装着部は、リール本体から円筒状に突出して形成されている。操作つまみは、装着部を収納可能に有底円筒状に形成されており、回動操作によりスプールの制動力を調節可能になっている。ねじ部材は、外周又は内周にねじ部を有し、円筒状に形成されており、装着部の径方向外方から装着部に装着可能に分割されている。このねじ部材は、装着部の外周と操作つまみの内周との間で装着部と操作つまみに係合している。そして、操作つまみを装着部に対して回動可能かつ装着部の突出方向に抜け止め可能にしている。
【００１１】
この制動操作構造では、分割されたねじ部材が、装着部の径方向外方から装着部に装着される。このねじ部材は、装着部の外周において装着部に係合する。操作つまみは、内周部に装着部を収納して、内周においてねじ部材に係合する。このような操作つまみは、ねじ部材によって、装着部に対して回動可能かつ装着部の突出方向に抜け止めされる。この状態で、操作つまみを回動操作することで、スプールの制動力が調節される。
【００１２】
ここでは、ねじ部材が、装着部の外周と操作つまみの内周との間で装着部と操作つまみに係合して、操作つまみを装着部に対して回動可能かつ装着部の突出方向に抜け止め可能にしている。この状態で、操作つまみを回動操作することで、スプールの制動力が調節されるようになっている。これにより、操作つまみを装着部から抜け落ちないようにすることができるとともに、操作つまみを装着部に対して安定して回動させることができる。このように操作つまみを抜け止めして操作できるようにすると、固定ボルトのような固定部材を用いる必要がないので、操作つまみの見映えを損なわないように操作つまみを装着部に装着することができる。
【００１３】
発明２に係る釣り用リールのスプールの制動操作構造では、発明１に記載の構造において、装着部の外周に環状溝が形成されている。また、ねじ部材の内周には、環状溝に嵌合可能な第１抜け止め突出部が形成されている。この場合、装着部の外周に形成された環状溝に、ねじ部材の第１抜け止め突出部が嵌合可能になっている。これにより、ねじ部材の第１抜け止め突出部を装着部の環状溝に嵌合することで、ねじ部材が装着部から抜け出さないようにすることができるとともに、ねじ部材を装着部に対して安定に回動させることができる。
【００１４】
発明３に係る釣り用リールのスプールの制動操作構造では、発明１又は２に記載の構造において、ねじ部材の外周にねじ部としての第１雄ねじ部が形成されている。また、操作つまみの内周には、操作つまみをねじ部材に連結するために第１雌ねじ部が第１雄ねじ部に螺合可能に形成されている。この場合、ねじ部材の外周に形成された第１雄ねじ部に、操作つまみの内周に形成された第１雌ねじ部が螺合可能になっている。これにより、ねじ部材の第１雄ねじ部に操作つまみの第１雌ねじ部を螺合することで、操作つまみを、ねじ部材に連結してねじ部材とともに装着部まわりに安定に回動させることができる。
【００１５】
発明４に係る釣り用リールのスプールの制動操作構造では、発明３に記載の構造において、ねじ部材の一端部の外周において鍔部が径方向外方に向けて突出して形成されている。この鍔部の外径は、ねじ部材の外周に形成された第１雄ねじ部の外径より大径に形成されている。この場合、ねじ部材の一端部の外周に形成された鍔部の外径が、ねじ部材の外周に形成された第１雄ねじ部の外径より大径に形成されている。これにより、ねじ部材の外周に形成された第１雄ねじ部に、操作つまみの内周に形成された第１雌ねじ部を螺合させるときに、操作つまみをねじ部材の鍔部に当接させてねじ部材に確実に締め付け装着することができる。
【００１６】
発明５に係る釣り用リールのスプールの制動操作構造では、発明１から４のいずれかに記載の構造において、装着部の内周に第２雌ねじ部が形成されている。また、操作つまみには、移動部材が含まれている。移動部材は、操作つまみの底部に回転不能に装着されており、スプール軸方向に移動可能になっている。この移動部材は、装着部内周の第２雌ねじ部に螺合可能な第２雄ねじ部を有している。そして、操作つまみを回動操作することにより、移動部材は、装着部の内周部において回転しながらスプール軸方向に移動してスプールの制動力を調節可能になっている。この場合、操作つまみには、底部に回転不能に装着された移動部材が含まれている。この移動部材は、第２雄ねじ部を装着部内周の第２雌ねじ部に螺合させることで、装着部の内周に配置されている。この状態で、操作つまみを回動操作すると、移動部材が装着部の内周部で回転しながらスプール軸方向に移動して、スプールの制動力が調節される。このようにしておけば、ねじ部材を介して装着部に抜け止めされた操作つまみを装着部に対して回動させたときに、スプールの制動力を確実に調節することができる。
【００１７】
発明６に係る釣り用リールのスプールの制動操作構造では、発明１に記載の構造において、装着部の外周に第２抜け止め突出部と第３雄ねじ部とが設けられている。第２抜け止め突出部は、装着部の先端側外周において径方向外方に向けて突出して形成されている。第３雄ねじ部は、装着部の基端側外周において内径が第２抜け止め突出部の外周より小径に形成されている。また、ねじ部材の内周には、装着部の第３雄ねじ部に螺合可能なねじ部としての第３雌ねじ部が形成されている。この場合、装着部の基端側外周に形成された第３雄ねじ部に、ねじ部材の内周に形成された第３雌ねじ部が螺合可能になっている。装着部の第３雄ねじ部の内径は、装着部の先端側外周に形成された第２抜け止め突出部の外周より小径に形成されている。これらのことより、装着部の第３雄ねじ部にねじ部材の第３雌ねじ部を螺合させることで、ねじ部材を装着部に対して安定に回動させることができる。このとき、ねじ部材を回動させて装着部の先端側に移動させると、このねじ部材が装着部先端側の第２抜け止め突出部にいずれ当接するので、ねじ部材が装着部から抜け出さないようにすることができる。ここで、ねじ部材が装着部の第２抜け止め突出部に当接すると、これ以上はねじ部材を回動させて装着部の先端側に移動させることができなくなるため、装着部の第３雄ねじ部とねじ部材の第３雌ねじ部とに生じうる抜け止め時の摩耗やねじ山の損傷を防止することができる。
【００１８】
発明７に係る釣り用リールのスプールの制動操作構造では、発明６に記載の構造において、操作つまみの内周に操作つまみの開口側から底部側に向けて延びる溝部が形成されている。また、ねじ部材の外周には、操作つまみとねじ部材との相対回転を規制するために、突出部が操作つまみの溝部に嵌合可能に形成されている。この場合、操作つまみの内周に形成された溝部に、ねじ部材の外周に形成された突出部が嵌合可能になっている。これにより、操作つまみの溝部にねじ部材の突出部を嵌合することで、操作つまみを、ねじ部材に連結してねじ部材とともに装着部に対して安定に回動させることができる。
【００１９】
発明８に係る釣り用リールのスプールの制動操作構造では、発明７に記載の構造において、ねじ部材の突出部が装着部の突出方向逆側に操作つまみの溝部から抜け出さないようにするために、操作つまみの開口側の溝部の底部に爪部が溝部の底部から突出して形成されている。この場合、操作つまみの開口側において操作つまみの溝部の底部に爪部が形成されているので、操作つまみの溝部にねじ部材の突出部を嵌合したときに、ねじ部材の突出部が装着部の突出方向逆側に操作つまみの溝部から抜け出さないようにすることができる。これにより、操作つまみを、ねじ部材に連結してねじ部材とともに装着部まわりに安定に回動させることができる。
【００２０】
発明９に係る釣り用リールのスプールの制動操作構造では、発明６から８のいずれかに記載の構造において、操作つまみの底部に、調整部が底部から開口側に突出して設けられている。この調整部は、操作つまみを回動操作することにより、装着部の内周部においてスプール軸方向に移動してスプールの制動力を調節可能になっている。この場合、操作つまみの底部に設けられた調整部が、操作つまみを回動操作することにより、装着部の内周部においてスプール軸方向に移動して、スプールの制動力が調節される。このようにしておけば、ねじ部材を介して装着部に抜け止めされた操作つまみを装着部に対して回動させたときに、スプールの制動力を確実に調節することができる。この場合、操作つまみを回動操作すると、操作つまみの底部に設けられた調整部が、装着部の内周部においてスプール軸方向に移動して、スプールの制動力が調節される。このようにしておけば、ねじ部材を介して装着部に抜け止めされた操作つまみを装着部に対して回動させたときに、スプールの制動力を確実に調節することができる。
【００２１】
発明１０に係る釣り用リールのスプールの制動操作構造では、発明１から９のいずれかに記載の構造において、装着部が、スピニングリールのリール本体から後方に突出して形成されている。この装着部は、スプール軸を制動するリアドラグ機構を内周部に収納している。ここで、操作つまみは、リアドラグ機構を調節するための操作つまみである。この場合、操作つまみが、装着部の内周部に収納されたリアドラグ機構を調節するための操作つまみとなっている。これにより、リアドラグ機構を調節するための操作つまみが装着部から抜け落ちないようにすることができるとともに、操作つまみを装着部に対して安定に回動させることができる。このように操作つまみを抜け止めして操作できるようにすると、固定ボルトのような固定部材を用いる必要がないので、操作つまみの見映えを損なわないように操作つまみを装着部に装着することができる。
【００２２】
発明１１に係る釣り用リールのスプールの制動操作構造では、発明１から９のいずれかに記載の構造において、装着部が、両軸受リールのリール本体から側方に突出して形成されている。この装着部は、スプール軸に連動して回転する軸部材を内周部に収納している。ここで、操作つまみは、スプール軸に連動して回転する軸部材を制動するキャスティングコントロール機構の操作つまみである。この場合、操作つまみが、スプール軸に連動して回転する軸部材を制動するキャスティングコントロール機構の操作つまみとなっている。これにより、キャスティングコントロール機構の操作つまみが装着部から抜け落ちないようにすることができるとともに、操作つまみを装着部に対して安定に回動させることができる。
【発明の効果】
【００２３】
本発明によれば、ねじ部材が、装着部の外周と操作つまみの内周との間で装着部と操作つまみに係合して、操作つまみを装着部の突出方向に抜け止めしている。この状態で、操作つまみを回動操作することで、スプールの制動力が調節されるようになっている。これにより、操作つまみが装着部から抜け落ちないようにするとともに、操作つまみを装着部に対して安定して回動させることができる。このように操作つまみを抜け止めして操作できるようにすると、固定ボルトのような固定部材を用いる必要がないので、操作つまみの見映えを損なわないように操作つまみを装着部に装着することができる。
【発明を実施するための最良の形態】
【００２４】
〔第１実施形態〕
図１に示す本発明の一実施形態を採用しリアドラグリールは、主に、ハンドル１０を備えたリール本体１と、リール本体１の前部に回転自在に支持されたロータ２と、ロータ２の前部に配置され釣り糸を巻き取るためのスプール３とを備えている。ロータ２には釣り糸をスプール３に巻き取るためのベールアーム４が揺動自在に装着されている。ベールアーム４には、釣り糸を案内するラインローラ５が装着されている。
【００２５】
リール本体１は、図１に示すように、リールボディ１ａを有しており、リールボディ１ａの上部にはスピニングリールを釣り竿に取り付けるための竿取付部１ｂが形成されている。リールボディ１ａの後部には、後方に突出する装着筒部１ｃが一体又は別体で設けられている。装着筒部１ｃは、図２に示すように、前後に並べて配置された抜け止め溝２６と環状装着溝２５とを外周面に有している。また、装着筒部１ｃは、雌ねじ部１ｄと係止溝１ｅとを内周面に有している。雌ねじ部１ｄは装着筒部１ｃの抜け止め溝２６形成部分より前方に形成されている。係止溝１ｅは、装着筒部１ｃの後端部から雌ねじ部１ｄを超えてスプール軸方向に沿って奥側まで形成されている。装着筒部１ｃの内部には、スプール３を制動するリアドラグ機構９が収納されている。外部には、リアドラグ機構９の制動力を調整操作するための制動操作構造６が装着されている。
【００２６】
リールボディ１ａの内部には、図１に示すように、ロータ２を回転させるためのロータ駆動機構７と、スプール３をロータ２の回転軸芯に沿って前後方向に移動させることで、スプール３に釣り糸を均一に巻き取るためのレベルワインド機構８とが設けられている。
【００２７】
ロータ駆動機構７は、ハンドル軸１０ａとともに回転するマスターギア１１と、このマスターギア１１と噛み合うピニオンギア１２とを有している。ピニオンギア１２は筒状に形成されており、その前部はロータ２の中心部を貫通してスプール３側に延びている。ピニオンギア１２は、ボディ１ａに支持された軸受１３ａ，１３ｂによって回転自在に支持されている。そして、ピニオンギア１２の中心部を、スプール軸１４が回転軸芯に沿って前後方向に移動自在に貫通している。スプール軸１４の先端にスプール３が回転不能に装着されている。ピニオンギア１２の中心部において内径とスプール軸１４の外径との間には、所定の隙間が確保されている。
【００２８】
レベルワインド機構８は、ハンドル１０によってハンドル軸１０ａを回転させることで、スプール軸１４を前後方向に運動させる機構である。レベルワインド機構８は、スプール軸１４の下奥側に配置された螺軸１５と、螺軸１５に沿って前後方向に移動するスライダ１６と、螺軸１５の下方に配置されたガイド軸（図示せず）と、螺軸１５の先端に固定されピニオンギア１２に噛み合う中間ギア（図示せず）とを有している。螺軸１５とガイド軸とは、スプール軸１４と平行に配置されている。
【００２９】
リアドラグ機構９は、図２及び図３に示すように、円筒状のブッシュ１８と、３種類６枚の前後に並べて配置された摩擦プレート１９ａ，１９ｂ，１９ｃからなる摩擦係合部１９と、摩擦係合部１９の摩擦プレート１９ａ，１９ｂ，１９ｃ押し付け用のコイルスプリング２１と、コイルスプリング２１を押圧する押圧部材２２とから構成されている。
【００３０】
ブッシュ１８は、スプール軸１４後部の外周に回転不能かつ軸方向移動自在に装着されている。ブッシュ１８の中央外周面上には音出しのための周方向に並べて形成された凹凸部１８ａとフランジ部１８ｂとが前後に並べて配置されている。ブッシュ１８の後部外周面には面取り部１８ｃが形成されている。また、ブッシュ１８の内周部には、スプール軸１４の後端部に形成された面取り部１４ａに回転不能に装着される長孔部１８ｄが形成されている。凹凸部１８ａには、リールボディ１ａに装着された板ばね２０の先端が接触している。これにより、ドラグ作動時にブッシュ１８がスプール軸１４とともに回転すると板ばね２０が振動して発音する。
【００３１】
摩擦プレート１９ａは、ドラグ座金であり、フランジ部１８ｂの後部から１枚おきに合計３枚配置される。摩擦プレート１９ｂは、外周部が係止溝１ｅに係止され装着筒部１ｃに回転不能に係合して装着筒部１ｃに対して回転不能な耳付き座金であり、前から２番目と最後端とに２枚装着されている。摩擦プレート１９ｃは、面取り部１８ｃによりブッシュ１８に回転不能に装着されるキー座金であり、前から４番目に装着される。なお、摩擦係合部１９の摩擦プレート１９ａ，１９ｂ，１９ｃの枚数や形状は例示であり、本実施形態に限定されない。摩擦プレート１９ａの後面には、摩擦係合部１９の後部に配置されたコイルスプリング２１の一端が接触している。
【００３２】
押圧部材２２は、コイルスプリング２１の他端を係止可能に前面凹んだ大径の鍔部２２ａを前端部に有している。また、押圧部材２２の中央外周面には、音出し用の周方向に並んだ凹凸部２２ｂが形成されている。後端外周面にはＸ字状に径方向に突出する連結部２２ｃが形成されている。凹凸部２２ｂには、装着筒部１ｃに装着されたばね部材２４が接触している。押圧部材２２の鍔部２ａの外周面には、装着筒部１ｃの雌ねじ部１ｄに螺合する雄ねじ部２２ｄが形成されている。
【００３３】
ばね部材２４は、弾性線材を半円形に湾曲して形成されており、内側に突出するように折り曲げられた１対の突出部２４ａが半円の両端に形成されている。ばね部材２４は、装着筒部１ｃに形成された環状装着溝２５に装着されている。環状装着溝２５には、２箇所の貫通部２５ａが形成されており、突出部２４ａは貫通部２５ａを貫通して凹凸部２２ｂに接触している。このばね部材２４は、ドラグ操作時に発音する機能と、押圧部材２２の抜け止めする機能とを有している。すなわち、突出部２４ａは、鍔部２ａの背面側に接触して押圧部材２２が装着筒部１ｃの内周部から抜けるのを防止している。
【００３４】
制動操作構造６は、図２及び図３に示すように、リール本体１のリールボディ１ａ後部に設けられた前述した装着筒部１ｃと、スプール３の制動力を調整するための操作つまみ２７と、操作つまみ２７にねじ込み固定されたねじ部材２８を有している。
【００３５】
装着筒部１ｃは、リールボディ１ａと一体形成された筒状部材であり、前述したように前後に並べて配置された抜け止め溝２６と環状装着溝２５とを外周面に有している。また、装着筒部１ｃは、雌ねじ部１ｄを内周面に有している。
【００３６】
操作つまみ２７は、装着筒部１ｃを収納可能に後端が僅かに縮径した有底円筒状に形成され、回動操作によりスプール３の制動力を調節可能なものである。操作つまみ２７の内周面の先端側には雌ねじ部２７ａが形成されている。操作つまみ２７の底面には押圧部材２２に向けて突出する係合凹部２７ｂが形成されている。係合凹部２７ｂは連結部２２ｃに回転不能かつ軸方向移動自在に係合している。これにより、操作つまみ２７を回動させると、雌ねじ部１ｄに螺合する押圧部材２２が回動して前後に移動し、コイルスプリング２１を伸縮させ、ドラグ力を増減させる。
【００３７】
ねじ部材２８は、鍔付き筒状部材を直径上で２分割した半割鍔付き円筒形状の第１及び第２分割部材２８ａ，２８ｂを有している。第１及び第２分割部材２８ａ，２８ｂの外周面には、先端部に操作つまみ２７に当接する大径の鍔部３１ａ，３１ｂが、中間部に操作つまみ２７の内周面に形成された雌ねじ部２７ａに螺合可能な雄ねじ部２９ａ，２９ｂがそれぞれ形成されている。鍔部３１ａ，３１ｂは、径方向外方に突出して形成されており、鍔部３１ａ，３１ｂの外径が雄ねじ部２９ａ，２９ｂの外形より大きくなっている。これにより、ねじ部材２８の外周に形成された雄ねじ部２９ａ，２９ｂに、操作つまみ２７の内周に形成された雌ねじ部２７ａを螺合させるときに、操作つまみ２７をねじ部材２８の鍔部３１ａ，３１ｂに当接させてねじ部材２８に確実に締め付け装着することができる。第１及び第２分割部材２８ａ，２８ｂの内周面の後端部には、抜け止め溝２６に係合する抜け止め用の半割環状突起３０ａ，３０ｂが径方向内方に突出して形成されている。第１分割部材２８ａの第２分割部材２８ｂと対向する分割面には１対の位置決め突起３２ａ（図３）が形成されている。第２分割部材２８ｂの第１分割部材２８ａと対向する分割面には１対の位置決め穴（図示せず）が形成されている。これにより、２つの分割部材２８ａ，２８ｂは、確実に位置決めされ、分割された雄ねじ部２９ａ，２９ｂが雌ねじ部２７ａに螺合可能に整列される。
【００３８】
次に、リアドラグリールの動作について説明する。
【００３９】
リール本体１からの糸繰り出し時には、ベールアーム４を糸開放側に倒す。そして、釣り竿をキャスティングすると、スプール３から釣り糸が繰り出される。糸巻き取り時には、ベールアーム４を糸巻取側に戻す。この状態でハンドル１０を糸巻取方向に回転させると、この回転力がハンドル軸１０ａ及びマスターギア１１を介してピニオンギア１２に伝達される。ピニオンギア１２に伝達された回転力は、ピニオンギア１２の前部においてロータ２を回転させる。一方で、ピニオンギア１２に伝達された回転力は、ピニオンギア１２に噛み合う中間ギア（図示しない）を介して螺軸１５を回転させる。このとき、螺軸１５の螺旋溝に噛み合うスライダ１６が、ガイド軸に案内され前後方向に移動する。スライダ１６が移動すると、スライダ１６とともにスプール軸１４とスプール３とが前後方向に往復移動する。こうしたロータ２の回転とスプール３の前後移動とによって、ベールアーム４及びラインローラ５から案内される釣り糸は、スプール３の外周に前後方向に均一に巻き取られる。
【００４０】
リアドラグ機構９は、スプール３を制動するものであり、操作つまみ２７を回転させることによって、スプール３に対するドラグ力を調節できる。リール本体１の後部の操作つまみ２７を締め付けると、押圧部材２２が前方へと移動し、押圧部材２２に接触するコイルスプリング２１が押し込まれる。すると、摩擦係合部１９の複数の摩擦プレート１９ａ，１９ｂ，１９ｃが互いに圧接し、ブッシュ１８が複数の摩擦プレート１９ａ，１９ｂ，１９ｃによってリールボディ１ａに向けて押圧される。このように、ブッシュ１８がリールボディ１ａに向けて押圧されることによって、ブッシュ１８に対して回動不能なスプール軸１４も回転しにくくなり、スプール３に作用するドラグ力は強くなる。一方、操作つまみを弛めると、押圧部材２２は後方へと移動し、コイルスプリング２１の押し込まれた状態が徐々に解除される。すると、摩擦プレート１９ａ，１９ｂ，１９ｃによるブッシュ１８の押圧が解除されて、ブッシュ１８に対して回動不能なスプール軸１４は回転しやすくなり、スプール３に作用するドラグ力は弱くなる。
【００４１】
次に、制動操作構造の組立手順について説明する。
【００４２】
制動操作構造６を組み立てる際には、先にリアドラグ機構９を組み立ててばね部材２４を環状装着溝２５に装着する。そして、両分割部材２８ａ，２８ｂを装着筒部１ｃに半割環状起３０ａ，３０ｂを抜け止め溝２６に係合させた状態で取り付ける。雌ねじ部２７ａを雄ねじ部２９ａ，２９ｂに螺合させた状態で操作つまみ２７を先端が鍔部３１ａ，３１ｂに接触するまでねじ部材２８にねじ込む。このとき、係合凹部２７ｂが押圧部材２２の連結部２２ｃに係合するようにする。これにより、操作つまみ２７が抜け止めされた状態で装着筒部１ｃに回転自在に装着される。
【００４３】
以上のことから、本実施形態の制動操作構造６では、リアドラグ機構９の機能はそのままで、操作つまみ２７を装着筒部１ｃに容易に装着することができるとともに、操作つまみ２７を装着筒部１ｃに対して安定して回動させることができる。また、固定ボルトを用いることなく、操作つまみ２７を装着筒部１ｃに対して抜け止めできるので、見映えを損なわないように操作つまみ２７を装着筒部１ｃに装着することができる。また、抜け止め部材を用いることなく、操作つまみ２７が装着筒部２６から抜け落ちないようにすることができる。
【００４４】
〔第２実施形態〕
図４に示す本発明の第２実施形態を採用したリアドラグリールは、主に、ハンドル６０を備えたリール本体１と、リール本体１の前部に回転自在に支持されたロータ５２と、ロータ５２の前部に配置され釣り糸を巻き取るためのスプール５３とを備えている。ロータ５２には釣り糸をスプール５３に巻き取るためのベールアーム５４が揺動自在に装着されている。ベールアーム５４には、釣り糸を案内するラインローラ５５が装着されている。
【００４５】
リール本体５１は、図４に示すように、リールボディ５１ａを有しており、リールボディ５１ａの上部にはスピニングリールを釣り竿に取り付けるための竿取付部５１ｂが形成されている。リールボディ５１ａの内部には、ロータ５２を回転させるためのロータ駆動機構５７と、スプール５３をロータ５２の回転軸芯に沿って前後方向に移動させることで、スプール５３に釣り糸を均一に巻き取るためのレベルワインド駆動機構５８とが設けられている。リールボディ５１ａの後部には、リアドラグ機構５９が内蔵されている。このリアドラグ機構５９を操作するために、制動操作構造５６がリールボディ５１ａの後部に装着されている。
【００４６】
ロータ駆動機構５７は、ハンドル軸６０ａとともに回転するマスターギア６１と、このマスターギア６１と噛み合うピニオンギア６２とを有している。ピニオンギア６２は筒状に形成されており、その前部はロータ５２の中心部を貫通してスプール５３側に延びている。ピニオンギア６２は、リールボディ５１ａに支持されたボールベアリング６３ａ、６３ｂによって回転自在に支持されている。そして、ピニオンギア６２の中心部を、スプール軸６４が回転軸芯に沿って前後方向に移動自在に貫通している。ピニオンギア６２の内径とスプール軸６４の外径との間には、所定の隙間が確保されている。
【００４７】
レベルワインド駆動機構５８は、ハンドル６０によってハンドル軸６０ａを回転させることで、先端にスプール５３が回転不能に装着されたスプール軸６４を前後方向に運動させる機構である。レベルワインド駆動機構５８は、スプール軸６４の下奥側に配置された螺軸６５と、螺軸６５に沿って前後方向に移動するスライダ６６と、螺軸６５の下方に配置されたガイド軸６７と、螺軸６５の先端に固定されピニオンギア６２に噛み合う中間ギア（図示しない）とを有している。螺軸６５とガイド軸６７とは、スプール軸６４と平行に配置されている。
【００４８】
リアドラグ機構５９は、図５に示すように、円筒状のブッシュ６８と、複数の摩擦プレート６９ａ，７０ａからなる第１及び第２摩擦係合部６９，７０と、第１摩擦係合部６９の摩擦プレート６９ａ押し付け用のコイルスプリング７１と、第２摩擦プレート７０ａ押し付け用の押圧部材７２とから構成されている。ブッシュ６８は、スプール軸６４後部の外周に嵌め込まれている。このブッシュ６８に対して、スプール軸６４は回動不能かつ摺動自在になっている。ブッシュ６８後部の外周面上には第１フランジ部７３が、ブッシュ６８前部の外周面上には第２フランジ部７４が、それぞれ設けられている。そして、第１及び第２フランジ部７３，７４に、第１及び第２摩擦係合部６９，７０の摩擦プレート６９ａ，７０ａがそれぞれ配置されている。第１摩擦係合部６９の後部にはコイルスプリング７１が装着され、第２摩擦係合部７０の後部には押圧部材７２が配置されている。
【００４９】
制動操作構造５６は、図５及び図６に示すように、リール本体５１のリールボディ５１ａ後部に筒状に設けられた装着筒部７６と、第１及び第２ねじ部材７８，７９と、第２ねじ部材７９を装着筒部７６に保持する保持部材８０と、第１及び第２操作部材８１，８２とを備えている。装着筒部７６は、リールボディ５１ａに形成された雄ねじ部７７と、雄ねじ部７７と一体に形成される筒状部８３とを有している。第１及び第２ねじ部材７８，７９には、装着筒部７６の雄ねじ部７７に螺合可能な雌ねじ部８４ａ，８４ｂがそれぞれ設けられている。筒状部８３は、第１及び第２ねじ部材７８，７９の雌ねじ部８４ａ，８４ｂの内径より大径となるように形成されている。
【００５０】
第１及び第２ねじ部材７８，７９は、軸方向に半円筒状に分割され、第１及び第２突き合わせ部８５ａ，８６ａ（８５ｂ，８６ｂ）が、両ねじ部材７８，７９にそれぞれ形成されている。第１ねじ部材７８は雄ねじ部７７後方側で、第２ねじ部材７９は雄ねじ部７７前方側で、装着筒部７６に螺合可能に装着されている。第１及び第２ねじ部材７８，７９の第１突き合わせ部８５ａ，８５ｂには、径方向に突出した突出部８８ａ，８８ｂが外周面上にそれそれ形成されている。第２ねじ部材７９と押圧部材７２との間には、第２ねじ部材７９の動作を押圧部材７２に伝達するために、押圧部材７２を回転不能かつ軸方向移動可能に係止する係止部８７が配置されている。
【００５１】
第１操作部材８１は、図５及び図６に示すように、有底円筒状に形成され、筒状部８３を収納可能な収納部８３ａを有している。収納部８３ａの底部には、押圧部９０が一体に形成されている。第１操作部材８１は、装着筒部７６の雄ねじ部７７外周に螺合させた第１ねじ部材７８に装着させている。このとき、押圧部９０は、第１摩擦係合部６９の後部に装着されたコイルスプリング７１に直列に連結される。
【００５２】
第２操作部材８２は、円筒状に形成され、第２ねじ部材７９を回動可能に操作するための径方向に突出した突起部９１を有している。第２操作部材８２は、第１操作部材８１の前方で、第２ねじ部材７９に取り付けられた保持部材８０に装着されている。
【００５３】
第１及び第２操作部材８１，８２は円筒内面に形成された凹部９２ａを有し、この凹部９２ａと第１及び第２ねじ部材７８，７９の突出部８８ａ，８８ｂとが嵌合可能になっている。ここで、凹部９２ａと突出部８８ａ，８８ｂとを嵌合させた後、凹部９２ａから突出部８８ａ，８８ｂが抜け出さないように、凹部９２ａの底部前部には規制部９３ａが形成されている。この規制部９３ａは、凹部９２ａの底部から第１及び第２ねじ部材７８，７９の中心に向けて突出した突起で構成されている。
【００５４】
次に、リアドラグリールの動作について説明する。
【００５５】
リール本体５１からの糸繰り出し時には、ベールアーム５４を糸開放側に倒す。そして、釣り竿をキャスティングすると、スプール５３から釣り糸が繰り出される。糸巻き取り時には、ベールアーム５４を糸巻取側に戻す。この状態でハンドル６０を糸巻取方向に回転させると、この回転力がハンドル軸６０ａ及びマスターギア６１を介してピニオンギア６２に伝達される。ピニオンギア６２に伝達された回転力は、ピニオンギア６２の前部においてロータ５２を回転させる。一方で、ピニオンギア６２に伝達された回転力は、ピニオンギア６２に噛み合う中間ギア（図示しない）を介して螺軸６５を回転させる。このとき、螺軸６５の螺旋溝に噛み合うスライダ６６が、ガイド軸６７に案内され前後方向に移動する。スライダ６６が移動すると、スライダ６６とともにスプール軸１４とスプール５３とが前後方向に往復移動する。こうしたロータ５２の回転とスプール３の前後移動とによって、ベールアーム５４及びラインローラ５５から案内される釣り糸は、スプール５３の外周に前後方向に均一に巻き取られる。
【００５６】
リアドラグ機構５９は、第１及び第２操作部材８１，８２を回転させることによって、スプール５３に対するドラグ力を調節するためのものである。リール本体５１後部の第１操作部材８１を締め付けると、第１操作部材８１と一体に形成された押圧部９０が前方へと移動し、押圧部９０に連結されたコイルスプリング７１が押し込まれる。すると、第１摩擦係合部６９の複数の摩擦プレート６９ａ面が互いに近接し、ブッシュ６８の第１フランジ部７３が複数の摩擦プレート６９ａによって挟持される。このように、ブッシュ６８の第１フランジ部７３が押圧されることによって、ブッシュ６８に対して回動不能なスプール軸６４も回転しにくくなり、スプール５３に作用するドラグ力は強くなる。一方、第１操作部材８１を弛めると、押圧部９０は後方へと移動し、コイルスプリング７１の押し込まれた状態が徐々に解除される。すると、摩擦プレート６９ａによる第１フランジ部７３の押圧が解除されて、ブッシュ６８に対して回動不能なスプール軸６４は回転しやすくなり、スプール５３に作用するドラグ力は弱くなる。
【００５７】
第２操作部材８２を締め付けると、第２操作部材８２とともに第２ねじ部材７９が回転する。すると、第２ねじ部材７９と押圧部材７２との間に配置された係合部８７を介して、押圧部材７２がスプール軸６４に沿って前方に移動する。この押圧部材７２の移動によって、第２摩擦係合部７０の複数の摩擦プレート７０ａ面が互いに近接し、ブッシュ６８の第２フランジ部７４が摩擦プレート７０ａによって挟持される。このようにブッシュ６８の第２フランジ部７４が押圧されることによって、ブッシュ６８に対して回動不能なスプール軸６４も回転しにくくなり、スプール５３に作用するドラグ力は強くなる。一方、第２操作部材８２を弛めると、押圧部材７２は、スプール軸６４に沿って後方へと移動し、第２摩擦係合部７０から離れる方向へと引き戻される。すると、摩擦プレート７０ａによる第２フランジ部７４の押圧が解除されて、ブッシュ６８に対して回動不能なスプール軸６４は回転しやすくなり、スプール５３に作用するドラグ力は弱くなる。
【００５８】
次に制動操作構造５６の組立手順について説明する。
【００５９】
制動操作構造５６を組み立てる際には、まず、分割された第２ねじ部材７９を装着筒部７６の雄ねじ部７７前方に螺合させ取り付ける。つづいて、Ｃ型に形成された止め輪部材を第２ねじ部材７９の外周面に装着し、第２ねじ部材７９を装着筒部７６に固定する。そして、円筒状に形成された第２操作部材８２を筒状部８３側から第２ねじ部材７９に向けて嵌挿し、第２操作部材８２の円筒内面に形成された凹部９２ａを第２ねじ部材７９の第１突き合わせ部８５ａに設けられた突出部８８ｂに嵌めあわせる。次に、分割された第１ねじ部材７８を、装着筒部７６の雄ねじ部７７後方に螺合させ取り付ける。つづいて、有底円筒状に形成された第１操作部材８１の底部を筒状部８３に対向させて、第１操作部材８１の底部に形成された押圧部９０を装着筒部７６内部に挿入しながら、第１操作部材８１の円筒部を第１ねじ部材７８に嵌め込む。そして、第１操作部材８１の円筒内面に形成された凹部９２ａを、第１ねじ部材７８に設けられた突出部８８ａに嵌めあわせる。
【００６０】
このように組み立てられる本実施形態の制動操作構造５６では、筒状部８３が第１及び第２ねじ部材７８，７９の雌ねじ部８４ａ，８４ｂのねじ山内径より大径に形成されていても、両ねじ部材７８，７９は分割されているので装着筒部７６に容易に装着することができる。また、両ねじ部材７８，７９の外形を筒状部８３の外形より大きくしておけば、第１及び第２操作部材８１，８２は両ねじ部材７８，７９に容易に装着することができる。
【００６１】
一方で、第１及び第２操作部材８１，８２や第１及び第２ねじ部材７８，７９を装着筒部７６に容易に装着できるようにしたとしても、両操作部材８１，８２と両ねじ部材７８，７９とが装着筒部７６から抜け落ちないように考慮しておくことは、リアドラグ機構５９が分解するなどの不具合を防止する意味で重要である。本実施形態の制動操作構造５６では、両ねじ部材７８，７９の雌ねじ部８４ａ，８４ｂのねじ山内径より大径に形成されたねじ込み部８６の筒状部８３によって、両ねじ部材７８，７９は装着筒部７６からの抜け落ちが規制されている。また、両操作部材８１，８２の凹部９２ａが両ねじ部材７８，７９の突出部８８ａ，８８ｂに嵌め込まれることで、両操作部材８１，８２は両ねじ部材７８，７９に対して回転不能かつ軸方向移動不能になっている。このことから、両ねじ部材７８，７９の抜け落ちさえ規制しておけば、両ねじ部材７８，７９に装着された両操作部材８１，８２も装着筒部７６から抜け落ちることはない。
【００６２】
以上のことから、本実施形態の制動操作構造５６では、リアドラグ機構５９の機能はそのままで、操作つまみ（第１及び第２操作部材８１，８２）を装着筒部７６に容易に装着することができるとともに、第１及び第２操作部材８１，８２を装着筒部７６に対して安定して回動させることができる。また、固定ボルトを用いることなく、操第１及び第２操作部材８１，８２を装着筒部７６に対して抜け止めできるので、見映えを損なわないように第１及び第２操作部材８１，８２を装着筒部７６に装着することができる。また、抜け止め部材を用いることなく、両操作つまみが装着筒部７６から抜け落ちないようにすることができる。
【００６３】
〔他の実施形態〕
（ａ）  前記実施形態では、制動操作構造６，５６において、リアドラグ機構９，５９の操作つまみとなる場合の例を示したが、操作つまみは、前記実施形態に限定されず、リール本体１の機構を操作するものであれば、どのようなものでも良い。
【００６４】
図７は他の実施形態による制動操作構造を示している。この制動操作構造においては、第３ねじ部材１１３と、保持部材１１４と、第３操作部材１１５とが、両軸受リールのキャスティングコントロール機構の操作つまみとなっている。図７に示す両軸受リールの制動操作構造は、リール本体のボディに設けられたねじ込み部１１２と、第３ねじ部材１１３と、保持部材１１４と、第３操作部材１１５とを備えている。ねじ込み部１１２は、ボディに形成された雄ねじ部１１６と、雄ねじ部１１６と一体に形成される筒状部１１７とを有している。第３ねじ部材１１３には、ねじ込み部１１２の雄ねじ部１１６に螺合可能な雌ねじ部１１８が設けられ、この雌ねじ部１１８の内径より大径となるように、筒状部１１７は形成されている。第３操作部材１１５の円筒内周面上には凹部９２ｃが形成され、この凹部９２ｃの底部には規制部９３ｃが形成されている。この規制部９３ｃは、凹部９２ｃの底部から第３ねじ部材１１３の中心に向けて突出した突起で構成されている。そして、第３操作部材１１５は、筒状部１１７側から第３ねじ部材１１３の突出部１２０に嵌合可能となっている。
【００６５】
このような両軸受リールのキャスティングコントロール機構の操作つまみであっても、ねじ込み部１１２の雄ねじ部１１６に第３ねじ部材１１３を分割して装着でき、筒状部１１７によって第３ねじ部材１１３の抜け落ちが規制されるので、前記実施形態と同様な効果が得られる。
【００６６】
（ｂ）  前記第１実施形態では、ねじ部材に抜け止め用の半割環状突起を設けたが、装着筒部に環状突起を設け、ねじ部材に半割抜け止め溝を設けてもよい。
【００６７】
（ｃ）  前記第１実施形態では、第２操作部材を有さないリアドラグリールを例示したが、第２実施形態と同様な第２操作部材を有するリアドラグリールであってもよい。
【００６８】
（ｄ）  前記第２実施形態では、第１操作部材８１を凹部９２ａと規制部９３ａとによって第１ねじ部材７８に固定する場合の例を示したが、第１操作部材８１を固定する方法は、前記第２実施形態に限定されず、第１操作部材８１は第１ねじ部材７８に圧入したり接着したりして固定しても良い。また、第２及び第３操作部材８２，１１５では、第２及び第３ねじ部材７９，１１３を保持部材８０，１１４で弾性係止した後、第２及び第３操作部材８２，１１５を凹部９２ｂ，９２ｃと規制部９３ｂ，９３ｃとによって第２及び第３ねじ部材７９，１１３に固定する場合の例を示したが、この場合も前記実施形態に限定されず、保持部材８０，１１４を第２及び第３ねじ部材７９，１１３に、第２及び第３操作部材８２，１１５を保持部材８０，１１４に、圧入したり接着したりして固定しても良い。
【００６９】
（ｅ）  前記第２実施形態では、規制部９３ａ，９３ｂ，９３ｃの突起によって、第１から第３操作部材８１，８２，１１５が第１から第３ねじ部材７８，７９，１１３から抜け出さないようにした場合の例を示したが、規制部９３ａ，９３ｂ，９３ｃの形状は、前記実施形態に限定されず、抜け出しを防止することができれば、どのような形状にしても良い。
【図面の簡単な説明】
【００７０】
【図１】本発明の第１実施形態によるスピニングリールの断面図。
【図２】スピニングリールの制動操作構造の拡大断面図。
【図３】制動操作構造の分解斜視図。
【図４】本発明の第２実施形態によるスピニングリールの断面図。
【図５】スピニングリールの制動操作構造の拡大断面図。
【図６】制動操作構造（第１操作部材）の分解斜視図。
【図７】本発明の他の実施形態の図６に相当する図。
【符号の説明】
【００７１】
１ｃ，７６  装着筒部
１ｄ  雌ねじ部（第２雌ねじ部の一例）
６，５６  制動操作構造
９，５９  リアドラグ機構
２２  押圧部材（移動部材の一例）
２２ｄ  雄ねじ部（第２雄ねじ部の一例）
２６  抜け止め溝
２７  操作つまみ
２７ａ  雌ねじ部（第１雌ねじ部の一例）
２８  ねじ部材
２９ａ，２９ｂ  雄ねじ部（第１雄ねじ部の一例）
３０ａ，３０ｂ  半割環状突起（第１抜け止め突出部の一例）
３１ａ，３１ｂ  鍔部
７７，１１６  雄ねじ部（第３雄ねじ部の一例）
８１  第１操作部材（操作つまみの一例）
８３，１１７  筒状部（第２抜け止め突出部の一例）
８４ａ，１１８  雌ねじ部（第３雌ねじ部の一例）
８８ａ，１２０  突出部
９０  押圧部（調整部の一例）
９２ａ，９２ｃ  凹部（溝部の一例）
９３ａ，９３ｃ  規制部（爪部の一例）
１１５  第３操作部材（操作つまみの一例）
【図１】
2005328755.tif 000003
【図２】
2005328755.tif 000004
【図３】
2005328755.tif 000005
【図４】
2005328755.tif 000006
【図５】
2005328755.tif 000007
【図６】
2005328755.tif 000008
【図７】
2005328755.tif 000009